(57)【要約】  本発明の実施形態は、内側容積を封入する主ハウジングと、出口容積を有する前部キャビティ及び隣接する出口チャネルを含み、主ハウジングの一端から延びるように位置決めされた出口セクションとを有するタンクアセンブリを提供する。一部の実施形態は、主ハウジングの中に少なくとも部分的に挿入されるように構成されて少なくとも濾過容積及び流体結合された主容積を形成する少なくとも１つの取り外し可能フィルタを含む。一部の実施形態は、少なくとも１つの中央チャネルと複数のバッフル開口とを含む取り外し可能タンクバッフルを含む。一部の実施形態では、中央チャネルは、取り外し可能タンクバッフルが主ハウジングに位置決めされた時に出口チャネルに流体結合されるように構成される。更に、複数のバッフル開口は、取り外し可能タンクバッフルが主ハウジングに位置決めされた時に出口容積に流体結合されるように構成される。【選択図】図１
2021525552.tif 000002
【特許請求の範囲】
【請求項１】
タンクアセンブリであって、
内側容積の一部分を封入する主ハウジングと、
出口容積を含む前部キャビティ及び隣接する出口チャネルを含み、前記主ハウジングの一端から延びるように又はそれに隣接するように位置決めされた出口セクションと、
少なくとも１つのチャネルと複数のバッフル開口とを含む取り外し可能タンクバッフルであって、該少なくとも１つのチャネルが、該取り外し可能タンクバッフルが前記主ハウジングに位置決めされた時に前記出口チャネルに流体結合されるように構成され、該複数のバッフル開口が、該取り外し可能タンクバッフルが該主ハウジングに位置決めされた時に前記出口容積に流体結合されるように構成される前記取り外し可能タンクバッフルと、
を含むことを特徴とするタンクアセンブリ。
【請求項２】
前端と後端とを含む主本体を含む取り外し可能タンク蓋を更に含むことを特徴とする請求項１に記載のタンクアセンブリ。
【請求項３】
前記タンク蓋は、前記前端で前記主本体から延びる出口部分と前記後端で該主本体から延びる上側ハウジングとを含むことを特徴とする請求項２に記載のタンクアセンブリ。
【請求項４】
前記タンク蓋は、前記前端に向けて前記上側ハウジングの一部分を横切って延びる前方通気口を含むことを特徴とする請求項３に記載のタンクアセンブリ。
【請求項５】
前記タンク蓋は、前記後端に向けて前記上側ハウジングの一部分を横切って延びる後方通気口を含むことを特徴とする請求項３に記載のタンクアセンブリ。
【請求項６】
前記タンク蓋は、前記主ハウジングの後部側壁の上縁上に位置付けられたカプラに結合するように構成され、かつそのように配置された前記後端でのカプラを含むことを特徴とする請求項２に記載のタンクアセンブリ。
【請求項７】
前記タンク蓋は、前記主本体の周りに少なくとも部分的に延びる内側スカートを含み、該内側スカートは、該タンク蓋が前記主ハウジングに結合された時に少なくとも部分的に前記内側容積内であることを特徴とする請求項２に記載のタンクアセンブリ。
【請求項８】
前記主ハウジングの中に少なくとも部分的に挿入されるように構成されて少なくとも濾過容積及び流体結合された主容積を形成する少なくとも１つの取り外し可能フィルタを更に含むことを特徴とする請求項１に記載のタンクアセンブリ。
【請求項９】
前記主ハウジングは、少なくとも１つのガイドを含み、
前記少なくとも１つの取り外し可能フィルタは、前記少なくとも１つのガイドの中に挿入されるように構成される、
ことを特徴とする請求項８に記載のタンクアセンブリ。
【請求項１０】
前記主ハウジングは、一方の側で前部側壁の内端に位置決めされた１又は２以上のノッチを含むことを特徴とする請求項１に記載のタンクアセンブリ。
【請求項１１】
前記主ハウジングは、反対側で前記前部側壁の前記内端に位置決めされた１又は２以上の延長部を含み、
前記１又は２以上のノッチ及び前記１又は２以上の延長部は、前記タンクバッフルに結合する、それを固定する、及び／又は少なくとも部分的に保持するように構成される、
ことを特徴とする請求項１０に記載のタンクアセンブリ。
【請求項１２】
前記出口セクションは、スロットを含む前壁を含むことを特徴とする請求項１に記載のタンクアセンブリ。
【請求項１３】
前記スロットは、前記出口容積に流体結合されることを特徴とする請求項１２に記載のタンクアセンブリ。
【請求項１４】
前記少なくとも１つの中央チャネルは、前記タンクバッフルが前記主ハウジングに位置決めされた時に前記スロットを通じて前記出口チャネルに流体結合するように構成されることを特徴とする請求項１３に記載のタンクアセンブリ。
【請求項１５】
商品であって、
出口容積と出口チャネルとを含む出口セクションを含む前端を含み、内側容積を封入するタンクハウジングと、
少なくとも１つの中央チャネルを含み、前記タンクハウジングの中に挿入されるように構成されたタンクバッフルと、
を含むことを特徴とする商品。
【請求項１６】
前記タンクハウジングのガイドの中に少なくとも部分的に挿入されるように構成された少なくとも１つの取り外し可能フィルタを更に含むことを特徴とする請求項１５に記載の商品。
【請求項１７】
前記少なくとも１つの中央チャネルは、前記タンクバッフルが前記タンクハウジングに位置決めされた時に前記出口セクションの前記出口チャネルに流体結合されるように構成され、かつそのように配置されることを特徴とする請求項１６に記載の商品。
【請求項１８】
前記流体結合は、前記出口セクションの前壁内のスロットを通じて達成されることを特徴とする請求項１７に記載の商品。
【請求項１９】
前端を含む主本体と該前端で該主本体から延びる出口部分とを含むタンク蓋を更に含むことを特徴とする請求項１６に記載の商品。
【請求項２０】
前記タンク蓋は、前記前端の反対側の該タンク蓋の後端で前記主本体から延びる上側ハウジングを含むことを特徴とする請求項１９に記載の商品。
【請求項２１】
前記タンクバッフルは、一方の側で少なくとも１つのタブを含み、反対側が、少なくとも１つのレシーバを含むことができることを特徴とする請求項１７に記載の商品。
【請求項２２】
前記タンクハウジングは、一方の側で前部側壁の内端に位置決めされた１又は２以上のノッチと反対側で該前部側壁の該内端に位置決めされた１又は２以上の延長部とを含み、
前記１又は２以上のノッチ及び前記１又は２以上の延長部は、前記タンクバッフルに結合する、それを固定する、及び／又は少なくとも部分的に保持するように構成され、
前記タンクバッフルが前記タンクハウジングに少なくとも部分的に位置決めされた時に、前記タブの前記少なくとも１つは、前記ノッチの少なくとも１つに結合する又はその中に位置決めされるように構成され、かつそのように位置決めされ、及び／又は該タンクハウジングの前記延長部の少なくとも１つを該タンクバッフルの少なくとも１つのレシーバの中に位置決めすることができる、
ことを特徴とする請求項２１に記載の商品。
【発明の詳細な説明】
【技術分野】
【０００１】
〔関連出願への相互参照〕
この出願は、引用によって本明細書にその内容全体が組み込まれている２０１８年５月３０日出願の「タンクシステム及び方法」という名称の米国特許出願第１５／９９２，８９７号の利益及びそれに対する優先権を主張するものである。
【背景技術】
【０００２】
魚のような水生動物は、給餌と自然繁殖及び／又は選択的繁殖とに適する水生環境を維持する水生システムタンクを使用して大規模に収容かつ飼育されることが多い。一部のシステムタンクは、水の流れ及び交換のための１又は２以上の入口及び出口を含むことができる。一部のシステムタンクは、多くの場合に遺伝子株又は雄／雌動物を分離する１又は２以上の仕切板を含み、一部のシステムタンクは、稚魚又は幼魚を彼らの浮き袋が膨らむまで飼育するバスケット又はネットを含む。従来の飼育慣例は、多くの場合に飼育タンクを使用して達成され、かつ成魚が彼らの自分の卵を食べるのを防ぐ内側バスケットと雌と雄を分離する仕切板とを含むことができる。飼育タンクは、通常はベンチ上に又はカート内に設定された別々のタンクであり、それらの目的は、専ら魚を飼育することである。
【発明の概要】
【発明が解決しようとする課題】
【０００３】
最近になって、多くの研究者は、飼育タンクがシステムタンクに流体結合された時に魚がより良好に繁殖することに気付き、時には、ある一定の研究者は、システムタンク内に内側孔あきタンク又はバスケットを入れ子にすることになる。しかし、別々のタンク及び／又はタンクインサートの使用は、複雑さと機器コスト及び労働コストを含むコストとを追加する可能性がある。任意的に位置決めされたフィルタと他のセクションとを有する単一タンクを使用する機能は、この複雑さを低減し、かつ全体の設定及び運用出費を下げることができる。
【課題を解決するための手段】
【０００４】
一部の実施形態は、内側容積を封入する主ハウジングと、主ハウジングの一端から延びるように位置決めされた出口セクションであって、出口容積を有する前部キャビティ及び隣接する出口チャネルを含む上記出口セクションとを含むタンクアセンブリを含む。一部の実施形態は、少なくとも１つのチャネルと複数のバッフル開口とを含む取り外し可能タンクバッフルを含み、少なくとも１つのチャネルは、取り外し可能タンクバッフルが主ハウジングに位置決めされた時に出口チャネルに流体結合されるように構成される。更に、一部の実施形態では、複数のバッフル開口は、取り外し可能タンクバッフルが主ハウジングに位置決めされた時に出口容積に流体結合されるように構成される。
【０００５】
一部の実施形態は、前端と後端とを含む主本体を含む取り外し可能タンク蓋を更に含む。一部の実施形態では、タンク蓋は、前端で主本体から延びる出口部分と後端で主本体から延びる上側ハウジングとを含む。一部の実施形態では、タンク蓋は、前端に向けて上側ハウジングの一部分を横切って延びる前方通気口を含む。一部の更に別の実施形態では、タンク蓋は、後端に向けて上側ハウジングの一部分を横切って延びる後方通気口を含む。
【０００６】
本発明の一部の実施形態は、主ハウジングの後部側壁の上縁上に位置付けられたカプラに結合するように構成かつ配置された後端でのカプラを有するタンク蓋を含む。本発明の一部の更に別の実施形態では、タンク蓋は、主本体の周りに少なくとも部分的に延びる内側スカートを含み、内側スカートは、タンク蓋が主ハウジングに結合された時に少なくとも部分的に内側容積内である。
【０００７】
一部の実施形態では、主ハウジングは、少なくとも１つのガイドと、少なくとも１つのガイドの中に挿入されるように構成された少なくとも１つの取り外し可能フィルタとを含む。一部の実施形態では、主ハウジングは、一方の側で前部側壁の内端に位置決めされた１又は２以上のノッチを含む。一部の実施形態では、主ハウジングは、反対側で前部側壁の内端に位置決めされた１又は２以上の延長部を含み、１又は２以上のノッチ及び１又は２以上の延長部は、タンクバッフルに結合する、それを固定する、及び／又は少なくとも部分的に保持するように構成される。
【０００８】
本発明の一部の実施形態では、出口セクションは、スロットを含む前壁を含む。一部の実施形態では、スロットは、出口容積に流体結合される。一部の実施形態では、少なくとも１つの中央チャネルは、タンクバッフルが主ハウジングに位置決めされた時にスロットを通じて出口チャネルに流体結合するように構成される。
【０００９】
一部の実施形態は、内側容積を封入するタンクハウジングであって、出口容積と出口チャネルとを含む出口セクションを含む前端を含む上記タンクハウジングを含む商品を含む。商品の一部の実施形態は、タンクハウジングのガイドの中に少なくとも部分的に挿入されるように構成された少なくとも１つの取り外し可能フィルタと、複数のバッフル開口と少なくとも１つの中央チャネルとを含むタンクバッフルとを含み、タンクバッフルは、タンクハウジングの中に挿入されるように構成される。
【００１０】
一部の実施形態では、少なくとも１つの中央チャネルは、タンクバッフルがタンクハウジングに位置決めされた時に出口セクションの出口チャネルに流体結合されるように構成かつ配置される。一部の実施形態では、流体結合は、出口セクションの前壁でのスロットを通じて達成される。一部の実施形態は、前端を含む主本体と前端で主本体から延びる出口部分とを含むタンク蓋を更に含む。
【００１１】
商品の一部の実施形態では、タンク蓋は、前端とは反対側のタンク蓋の後端で主本体から延びる上側ハウジングを含む。一部の実施形態では、タンクバッフルは、一方の側で少なくとも１つのタブを含み、反対側は、少なくとも１つのレシーバを含むことができる。一部の実施形態では、タンクハウジングは、一方の側で前部側壁の内端に位置決めされた１又は２以上のノッチと、反対側で前部側壁の内端に位置決めされた１又は２以上の延長部とを含み、１又は２以上のノッチ及び１又は２以上の延長部は、タンクバッフルに結合する、それを固定する、及び／又は少なくとも部分的に保持するように構成される。一部の更に別の実施形態では、タンクバッフルがタンクハウジングに少なくとも部分的に位置決めされた時に、タブの少なくとも１つは、少なくとも１つのノッチに結合する又はその中に位置決めすることができ、及び／又はタンクハウジングの少なくとも１つの延長部は、タンクバッフルの少なくとも１つのレシーバの中に位置決めすることができる。
【図面の簡単な説明】
【００１２】
【図１】本発明の一部の実施形態によるタンクアセンブリの斜視図である。
【図２】本発明の一部の実施形態によるタンク蓋が取り外された図１のタンクアセンブリを示す図である。
【図３】本発明の一部の実施形態によるタンク蓋が取り外されてタンクバッフル及びタンクフィルタが上昇位置にある図１のタンクアセンブリを示す図である。
【図４】本発明の一部の実施形態によるタンク蓋及びタンクフィルタが取り外されてタンクバッフルが上昇位置にある図１のタンクアセンブリを示す図である。
【図５Ａ】本発明の一部の実施形態によるタンク蓋、タンクバッフル、及びタンクフィルタが取り外された図１のタンクアセンブリを示す図である。
【図５Ｂ】本発明の一部の実施形態によるタンク蓋、タンクバッフル、及びタンクフィルタが取り外された図１のタンクアセンブリの前端の拡大図である。
【図６Ａ】本発明の一部の実施形態によるタンク蓋、タンクバッフル、及びタンクフィルタが取り外された図１のタンクアセンブリの側面斜視図である。
【図６Ｂ】本発明の一部の実施形態による図１のタンクアセンブリの後端の上側部分の拡大図である。
【図６Ｃ】本発明の一部の実施形態による図１のタンクアセンブリの前端の上側部分の拡大図である。
【図６Ｄ】本発明の一部の実施形態による図１のタンクアセンブリの下側部分又はベースの拡大図である。
【図７Ａ】本発明の一部の実施形態による図１のタンクアセンブリのタンク蓋を示す図である。
【図７Ｂ】本発明の一部の実施形態によるタンク蓋の内側面図である。
【図７Ｃ】本発明の一部の実施形態による図１のタンクアセンブリのタンク蓋の前部延長部の一部分の図である。
【図７Ｄ】本発明の一部の実施形態による図１のタンクアセンブリの後端の一部分の図である。
【図８Ａ】本発明の一部の実施形態による図１のタンクアセンブリのバッフルの拡大図である。
【図８Ｂ】本発明の一部の実施形態による図１のタンクアセンブリのバッフルの外側に向く斜視図である。
【図８Ｃ】本発明の一部の実施形態による図１のタンクアセンブリのバッフルの外側に向く斜視図である。
【図９Ａ】本発明の一部の実施形態による図１のタンクアセンブリのタンクフィルタの斜視図である。
【図９Ｂ】本発明の一部の実施形態による図９Ａのタンクアセンブリのタンクフィルタの縁部分の斜視図である。
【図１０Ａ】本発明の一部の実施形態による図１のタンクアセンブリの側面断面図である。
【図１０Ｂ】本発明の一部の実施形態による図１のタンクアセンブリの上面断面図である。
【図１０Ｃ】本発明の一部の実施形態による図１０Ｂに示すような図１のタンクアセンブリの断面Ａ−Ａの端面断面図である。
【図１１】本発明の一部の更に別の実施形態によるタンクアセンブリの斜視図である。
【図１２】本発明の一部の更に別の実施形態によるタンク蓋が取り外された図１１のタンクアセンブリを示す図である。
【図１３】本発明の一部の更に別の実施形態によるタンク蓋が取り外されてタンクバッフル及びタンクフィルタが上昇位置にある図１１のタンクアセンブリを示す図である。
【図１４】本発明の一部の更に別の実施形態によるタンク蓋及びタンクフィルタが取り外されてタンクバッフルが上昇位置にある図１１のタンクアセンブリを示す図である。
【図１５Ａ】本発明の一部の更に別の実施形態によるタンク蓋、タンクバッフル、及びタンクフィルタが取り外された図１１のタンクアセンブリを示す図である。
【図１５Ｂ】本発明の一部の更に別の実施形態によるタンク蓋、タンクバッフル、及びタンクフィルタが取り外された図１１のタンクアセンブリの前端の拡大図である。
【図１６Ａ】本発明の一部の更に別の実施形態によるタンク蓋、タンクバッフル、及びタンクフィルタが取り外された図１１のタンクアセンブリの側面斜視図である。
【図１６Ｂ】本発明の一部の更に別の実施形態による図１１のタンクアセンブリの後端の上側部分の拡大図である。
【図１６Ｃ】本発明の一部の更に別の実施形態による図１１のタンクアセンブリの前端の上側部分の拡大図である。
【図１６Ｄ】本発明の一部の更に別の実施形態による図１１のタンクアセンブリの下側部分又はベースの拡大図である。
【図１７Ａ】本発明の一部の更に別の実施形態による図１１のタンクアセンブリのタンク蓋を示す図である。
【図１７Ｂ】本発明の一部の更に別の実施形態によるタンク蓋の内側面図である。
【図１７Ｃ】本発明の一部の更に別の実施形態による図１１のタンクアセンブリのタンク蓋の前部延長部の一部分の図である。
【図１７Ｄ】本発明の一部の更に別の実施形態による図１１のタンクアセンブリの後端の一部分の図である。
【図１７Ｅ】本発明の一部の更に別の実施形態によるタンク蓋の拡大図である。
【図１８Ａ】発明の一部の更に別の実施形態による図１１のタンクアセンブリのバッフルの拡大図である。
【図１８Ｂ】本発明の一部の更に別の実施形態による図１１のタンクアセンブリのバッフルの外側に向く斜視図である。
【図１８Ｃ】本発明の一部の更に別の実施形態による図１１のタンクアセンブリのバッフルの外側に向く斜視図である。
【図１９Ａ】本発明の一部の更に別の実施形態による図１１のタンクアセンブリのタンクフィルタの斜視図である。
【図１９Ｂ】本発明の一部の更に別の実施形態による図１９Ａのタンクアセンブリのタンクフィルタの縁部分の斜視図である。
【図１９Ｃ】本発明の一部の更に別の実施形態によるタンクフィルタの斜視図である。
【図２０Ａ】本発明の一部の更に別の実施形態による図１１のタンクアセンブリの側面断面図である。
【図２０Ｂ】本発明の一部の更に別の実施形態による図１１のタンクアセンブリの上面断面図である。
【図２０Ｃ】本発明の一部の更に別の実施形態による図２０Ｂに示すような図１１のタンクアセンブリの断面Ａ−Ａの端面断面図である。
【図２１】本発明の一部の更に別の実施形態による部分的に開いた蓋を有するタンクアセンブリを示す図である。
【図２２】本発明の一部の更に別の実施形態によるタンクハウジングの一部分の拡大図である。
【図２３】本発明の一部の更に別の実施形態によるタンクハウジングの一部分の側面断面図である。
【図２４】本発明の一部の更に別の実施形態による部分的に開いた蓋を有するタンクアセンブリを示す図である。
【図２５】本発明の一部の更に別の実施形態によるタンクハウジングの一部分の拡大図である。
【図２６】本発明の一部の更に別の実施形態によるタンクハウジングの一部分の側面断面図である。
【図２７】本発明の一部の更に別の実施形態による部分的に開いた蓋を有するタンクアセンブリを示す図である。
【図２８】本発明の一部の更に別の実施形態によるタンクハウジングの一部分の拡大図である。
【図２９】本発明の一部の更に別の実施形態によるタンクハウジングの一部分の側面断面図である。
【図３０】本発明の一部の更に別の実施形態による部分的に開いた蓋を有するタンクアセンブリを示す図である。
【図３１】本発明の一部の更に別の実施形態によるタンクハウジングの一部分の拡大図である。
【図３２】本発明の一部の更に別の実施形態によるタンクハウジングの一部分の側面断面図である。
【図３３】本発明の一部の更に別の実施形態によるタンクアセンブリを示す図である。
【図３４】本発明の一部の更に別の実施形態によるタンクハウジングの一部分の拡大図である。
【図３５】本発明の一部の更に別の実施形態によるタンクハウジングの一部分の断面図である。
【図３６】本発明の一部の更に別の実施形態によるタンクアセンブリを示す図である。
【図３７】本発明の一部の更に別の実施形態によるタンクハウジングの一部分の拡大図である。
【図３８】本発明の一部の更に別の実施形態によるタンクハウジングの一部分の断面図である。
【図３９Ａ】本発明の一部の更に別の実施形態によるタンクアセンブリの一部分の断面図である。
【図３９Ｂ】本発明の一部の更に別の実施形態によるタンクアセンブリの一部分の断面図である。
【図４０】本発明の一部の更に別の実施形態による上昇した蓋を含むタンクアセンブリの斜視図である。
【発明を実施するための形態】
【００１３】
本発明のいずれかの実施形態を詳細に説明する前に、本発明は、その用途において以下の説明に列挙する又は以下の図面に例示する構成の詳細及び構成要素の配置に限定されないことは理解されるものとする。本発明は、他の実施形態が可能であり、かつ様々な方法で実施される又は実行されることが可能である。同じく、本明細書に使用する語句及び用語は、説明を目的としたものであり、制限と見なすべきではないことも理解されるものとする。本明細書での「ｉｎｃｌｕｄｉｎｇ」、「ｃｏｍｐｒｉｓｉｎｇ」、又は「ｈａｖｉｎｇ」、及びその変形の使用は、その後に列挙する品目及びその均等物、並びに追加の品目を包含することを意味している。他を指定又は他に制限されない限り、用語「装着された」、「接続された」、「支持された」、及び「結合された」、及びその変形は広義に使用され、かつ直接及び間接の両方の装着、接続、支持、及び結合を包含する。更に、「接続された」及び「結合された」は、物理的又は機械的な接続又は結合に限定されない。
【００１４】
以下の議論は、当業者が本発明の実施形態を作って使用することを可能にするために提示するものである。例示する実施形態に対する様々な修正は、当業者には直ちに明らかであろうし、本明細書での一般原理は、本発明の実施形態から逸脱することなく他の実施形態及び用途に適用することができる。すなわち、本発明の実施形態は、図示の実施形態に限定されるように意図しておらず、むしろ本明細書に開示する原理及び特徴に矛盾しない最も広い範囲を与えられるものとする。以下の詳細説明は、異なる図での同じ要素が同じ参照番号を有する図面を参照して読まれるものとする。必ずしも縮尺通りではない図面は、選択した実施形態を描いており、かつ本発明の実施形態の範囲を制限するように意図していない。当業者は、本明細書に与える例が本発明の実施形態の範囲に入る多くの有用な代替物を有することを認識するであろう。
【００１５】
図１は、本発明の一部の実施形態によるタンクアセンブリ１の斜視図を示している。本発明の一部の実施形態は、タンクハウジング１ｈに結合されたタンク蓋３０を含むタンクアセンブリ１を含む。図示のように、一部の実施形態では、タンクハウジング１ｈは、前端１ａ及び後端１ｂを含むことができ、側壁１ｃは、各側で後部側壁１ｄから前部側壁１ｅまで延びる。一部の実施形態では、タンク蓋３０は、前端３０ａから後端３０ｂまで延びる主本体３０ｃを含むことができ、出口部分３０ｄは、前端３０ａで主本体３０ｃから延びる。
【００１６】
一部の更に別の図は、タンクアセンブリ１の外部及び内部構成要素及び部分の可視化を可能にするタンクアセンブリ１の構成要素又は部分の一部の視野又は部分的な視野を含む。例えば、図２は、本発明の一部の実施形態によるタンク蓋３０が取り外された図１のタンクアセンブリ１を示している。この図は、タンクアセンブリ１の様々な内部空間及び構成要素を明らかにしている。例えば、本発明の一部の実施形態では、タンクアセンブリ１は、前端１ａに向けてタンクハウジング１０に位置決めすることができる１又は２以上のタンクフィルタ５０を含むことができる。例えば、図３は、本発明の一部の実施形態によるタンク蓋３０が取り外されてタンクバッフル４０及びタンクフィルタ５０が上昇位置にある図１のタンクアセンブリ１を示している。一部の実施形態では、タンクフィルタは、図示のように第１のフィルタ５７及び／又は第２のフィルタ５９を含むことができる。
【００１７】
一部の実施形態では、タンクバッフル４０は、タンクフィルタ５０と出口容積２ｃを含むタンクハウジング１ｈの出口セクション１ｇとの間で前端１ａに位置決めすることができる。一部の実施形態では、タンクバッフル４０は、水力性能が改善するように流体を向けるように機能することができる。一部の実施形態では、タンクフィルタ５０及び／又はタンクバッフル４０の配置は、タンクアセンブリ１の内側容積２の各部分を複数の流体結合又は相互接続領域に区画化する又はカスタマイズすることを可能にすることができる。例えば、一部の実施形態では、タンクアセンブリ１は、図示のように１又は２以上のタンクフィルタ５０の一時的、準一時的、又は恒久的配置によって形成することができる内側容積２の主容積２ａ及び濾過容積２ｂを含むことができる。更に、一部の実施形態では、濾過容積２ｂと出口容積２ｃの間のタンクバッフル４０の一時的、準一時的、又は恒久的配置は、流体結合された出口容積２ｃを生成する又は可能にすることができる。一部の実施形態では、内側容積２を有する特定の流体容積に依存して、及び／又はタンクフィルタ５０及び／又はタンクバッフル４０がタンクアセンブリ１内の定位置にあるか否かに依存して、少なくとも一部の流体は、主容積２ａ及び／又は濾過容積２ｂ及び／又は出口容積２ｃから流体結合することができる。一部の実施形態では、選択可能又はカスタマイズ可能な内側容積２は、所有者又は飼育者が内側容積２のいずれかの部分内でいずれかの水生動物の水生環境をカスタマイズすることを可能にすることができる。
【００１８】
本発明の一部の実施形態では、１又は２以上のタンクフィルタ５０及び／又はタンクバッフル４０は、取り外す又はタンクアセンブリ１の内側容積２の中に挿入することができる。例えば、図３は、本発明の一部の実施形態によるタンク蓋３０が取り外されてタンクバッフル４０及びタンクフィルタ５０が上昇位置にある図１のタンクアセンブリを示している。図４は、本発明の一部の実施形態によるタンク蓋３０及びタンクフィルタ５０が取り外されてタンクバッフル４０が上昇位置にある図１のタンクアセンブリを示している。一部の実施形態では、１又は２以上のタンクフィルタ５０は、設置するか又は内側容積２から取り外すことができる。挿入及び取り外しの方法、及びタンクフィルタ５０及びタンクバッフル４０の挿入及び保持に関連する構造特徴は、少なくとも図５Ｂ及び図８Ａ〜図８Ｃに関して以下に説明する。図３に示す非限定的実施形態は、２つのタンクフィルタ５０及びタンクバッフル４０の挿入の図を示すが、一部の実施形態では、タンクフィルタ５０の数は、変わる可能性があり（図示の数よりも多い又は少ない）、１又は２以上のタンクバッフル４０は、ユーザ要件に基づいて含める又は含めない場合がある。
【００１９】
本発明の一部の実施形態では、タンク蓋３０は、後部側壁１ｄの上縁上に位置付けられたタンク蓋スナップハウジング（カプラ７）を使用してタンクハウジング１ｈに固定され、そこから解除され、及び／又はその上でピボット回転することができる。例えば、図５Ａは、本発明の一部の実施形態によるタンク蓋、タンクバッフル、及びタンクフィルタが取り外された図１のタンクアセンブリを示している。カプラ７及び関連のタブ８の更に別の詳細を図６Ａ及び６Ｂを参照して以下に説明する。図５Ｂを参照すると、本発明の一部の実施形態によるタンク蓋３０、タンクバッフル４０、及びタンクフィルタ５０が取り外された図１のタンクアセンブリの前端１ａの拡大図を示している。上述のように、本発明の一部の実施形態では、１又は２以上のタンクフィルタ５０及び／又はタンクバッフル４０は、取り外すか又はタンクアセンブリ１の内側容積２の中に挿入することができる。一部の実施形態では、単一タンクフィルタ５０を設置するか又は内側容積２から取り外すことができる。他の実施形態では、複数のタンクフィルタ５０を設置するか又は内側容積２から取り外すことができる。一部の実施形態では、側壁１ｃは、タンクフィルタ５０の縁部をその中に挿入することができる１又は２以上のチャネル又はガイド１０を含むことができる。一部の実施形態では、ガイド１０は、タンクフィルタ５０の挿入のためのガイドを提供するように機能することができ、及び／又は内側容積２に挿入された状態でタンクフィルタ５０を位置決めする及び／又は保持するように機能することができる。更に、一部の実施形態は、タンクフィルタ５０の延長部又はタブ（図９Ａ及び図９Ｂに関して更に以下に説明する）と結合することができる１又は２以上の延長部１１を含む。一部の実施形態では、タンクフィルタ５０は、少なくとも何らかの濾過機能を提供することができる。一部の実施形態では、タンクフィルタ５０は、適度な流体濾過を提供することができる。
【００２０】
図５Ｂに示す非限定的実施形態では、２つのガイド１０が示されており、各ガイド１０は、図３に示す２つのタンクフィルタ５０の一方に対応する。しかし、ガイド１０の数は、ユーザ要件に基づいて（すなわち、タンクフィルタ５０の指定された数に基づいて）変わる可能性がある（図示の数よりも多い又は少ない）。更に、一部の実施形態では、ガイド１０の位置は、変わる可能性がある。例えば、一部の実施形態では、図５Ｂに示すガイド１０は、更に離れるように離間させることができる。一部の実施形態では、２又は３以上のガイド１０を用いて、１又は２以上の長いリブ又はセパレータ１２をガイド１０間で側壁１ｃから内側容積２の中に延びるように位置決めすることができる。一部の実施形態では、１又は２以上のセパレータ１２は、タンクフィルタ５０間の分離を維持することを支援するように機能することができる。一部の実施形態では、１又は２以上のセパレータ１２は、１又は２以上のタンクフィルタ５０の位置合わせを支援するように機能することができる。
【００２１】
図５Ａ及び図５Ｂを再び参照すると、挿入されたタンクバッフル４０内に濾過容積２ｂ及び出口容積２ｃの領域内のタンクハウジング１ｈの構造を明らかにする図が示されている。例えば、一部の実施形態は、出口セクション１ｇがタンクハウジング１ｈの前端１ａから延びる場所の近くの前端１ａで２つの側壁２ｃ間を延びる主流れ壁３を有する出口セクション１ｇを含む。例えば、一部の実施形態は、出口セクション１ｇの近くで前部側壁１ｅ間を延び、内側容積２内にかつ少なくとも部分的に濾過容積２ｂ及び／又は出口容積２ｃ内に位置決めされた主流れ壁３を含む。一部の実施形態では、主流れ壁３は、流体誘導の改善を提供するように機能することができる。一部の実施形態では、主流れ壁３は、少なくとも１つのスロット５を含むことができる。更に、一部の実施形態では、出口セクション１ｇは、主流れ壁３に近い端部の反対側の出口セクション１ｇの端部に位置決めされた少なくとも１つのロックキャビティ１３を含むことができる。更に、図５Ｂに示すタンクアセンブリ１ｈの前端１ａの拡大図に示すように、一部の実施形態は、一方の側で前部側壁１ｅの内端に位置決めされた（上側及び下側ノッチ４ａ）と、反対側で前部側壁１ｅの内端に位置決めされた上側及び下側延長部４ｂとを含むタンクバッフル保持リブを含む。一部の実施形態では、以下で更に説明するように、上側及び下側ノッチ４ａ及び上側及び下側延長部４ｂは、図８Ａ〜図８Ｃに関連して以下で更に説明するように、タンクバッフル４０を結合する、固定する、及び／又は保持するのに使用することができる。
【００２２】
図６Ａは、本発明の一部の実施形態によるタンク蓋３０、タンクバッフル４０、及びタンクフィルタ５０が明瞭さのために取り外された図１のタンクアセンブリ１の側面斜視図を示している。本発明の一部の実施形態では、タンクハウジング１ｈは、タンクハウジング１ｈの一部分を横切って延びる１又は２以上の入れ子式リブ１６を含むことができる。一部の実施形態では、入れ子式リブ１６は、入れ子粘着を防止するために適度の停止を提供する。例えば、一部の実施形態は、タンクハウジング１ｈの上部側面上の（かつ定位置にある時にタンク蓋３０の近くの）タンク産卵インサートノッチ（スロット９）に隣接する場所からタンクハウジング１ｈの下端に向けて延びる入れ子式リブ１６を含む。一部の実施形態では、スロット９は、産卵インサートを含む他の特徴部又は追加物を受け入れる又は支持することができる。
【００２３】
図６Ｄを参照すると、一部の実施形態は、スタンド部分、延長部、又は脚を形成する１又は２以上のラック脚１４及び／又は脚１５を含む側壁１ｃの延長部を含む。更に、一部の実施形態は、後部側壁１ｄを通って延びるタンクレベルロケータ１７を含む。一部の実施形態では、追加通気口又は開口を少なくとも後部側壁１ｄに又はタンクアセンブリ１の他の部分に含めることができる。一部の実施形態では、ラック脚１４及び／又は脚１５は、タンクアセンブリ１の所要の傾斜角度を可能にする。
【００２４】
図６Ｂは、本発明の一部の実施形態による図１のタンクアセンブリ１の後端１ｂの上側部分の拡大図を示している。上述のように、本発明の一部の実施形態では、タンク蓋３０は、後部側壁１ｄの上縁上に位置付けられたカプラ７を使用してタンクハウジング１ｈに固定され、そこから解除され、及び／又はその上でピボット回転することができる。一部の実施形態では、カプラ７は、タンク蓋３０の各部分に結合する（タンクハウジング１ｈ及び蓋３０をロックすることを含む）のに適する移動可能タブ８を含むことができる。例えば、一部の実施形態では、タンク蓋３０は、カプラ７に結合することによってタンクハウジング１ｈの縁部の上部側面上に可逆的に結合することができる。図７Ａは、タンクアセンブリ１のタンク蓋３０を示し、図７Ｂは、タンク蓋３０の内側面図を示し、図７Ｄは、タンクハウジング１ｈ及び蓋３０をロックするように機能することができる蓋スナップ３５を示すタンクアセンブリ１の後端１ｂの一部分の拡大図を示している。一部の実施形態では、タンク蓋３０は、前端３０ａから後端３０ｂまで延びる主本体３０ｃを含むことができ、出口部分３０ｄは、前端３０ａで主本体３０ｃから延び、下側リム３７は、主本体３０ｃの周りに少なくとも部分的に延びる。一部の実施形態では、下側リム３７は、タンク蓋３０がタンクハウジング１ｈに結合された時に内側容積２内に少なくとも部分的に位置決めすることができる。一部の実施形態では、下側リム３７は、蓋３０とタンクハウジング１ｈの間の位置合わせの改善をもたらすことができる。
【００２５】
この非限定的実施形態に更に示すように、タブ３５ａは、後端３０ｂに位置決めされた蓋スナップ３５の内壁から延びる。図６Ａ及び図６Ｂを再び参照すると、一部の実施形態では、蓋３０は、カプラ７が蓋スナップ３５に少なくとも部分的に挿入された時に蓋スナップ３５に固定される又はそこから外すことができ、タブ３５ａは、可逆的にタブ８に結合することができる。図１０Ｃは、本発明の一部の実施形態による図１０Ｂに示すような図１のタンクアセンブリ１の断面Ａ−Ａの端面断面図を示し、タブ８に可逆的に結合することができるタブ３５ａの例示的実施形態を示している。一部の実施形態では、タンクハウジング１ｈとのタンク蓋３０の可逆結合は、蓋スナップ３５から延びる蓋タブ３４を使用して容易にすることができる。一部の実施形態では、ユーザは、蓋タブ３４を把持し、カプラ７、３５及びタブ３５ａ、８に選択的に係合又は係合解除させ、従って、タンク蓋３０を少なくともタンクアセンブリ１の後端１ｂで選択的に結合又は分離することができる。
【００２６】
一部の実施形態では、タンクアセンブリ１の前端１ａでのタンク蓋３０の結合は、前端１ｂでのタンク蓋３０及び／又はタンクハウジング１ｈ上の１又は２以上の構造によって容易にすることができる。例えば、図６Ｃは、本発明の一部の実施形態による図１のタンクアセンブリ１の前端１ｂの上側部分の拡大図を示している。更に、図７Ｃは、本発明の一部の実施形態による図１のタンクアセンブリ１のタンク蓋３０のロッキング舌状部３６（図７Ｂでは領域７Ｃで示す）の一部分の図を示している。一部の実施形態では、タンクハウジング１ｈの前端１ｂは、タンク蓋３０が前端１ａでタンクハウジング１ｈに結合された時にタンク蓋３０のロッキング舌状部３６（出口部分３０ｄから延びるように位置決めされた）に結合することができるロックキャビティ１３を含むことができる。一部の実施形態では、ユーザは、ロッキング舌状部３６をロックキャビティ１３に少なくとも部分的に押圧する又は押し込み、タンク蓋３０をタンクハウジング１ｈの上に少なくとも部分的に閉じる又は固定してタンクアセンブリ１を形成することができる。一部の実施形態では、ユーザは、ロッキング舌状部３６を少なくとも部分的にロックキャビティ１３から引く又は強制し、タンク蓋３０をタンクアセンブリ１のタンクハウジング１ｈから少なくとも部分的に取り外す又は解除することができる。
【００２７】
図６Ｄは、本発明の一部の実施形態による図１のタンクアセンブリ１の下側部分又はベースの拡大図を示している。一部の実施形態では、タンクハウジング１ｈは、各端部１ａ、１ｂに１つの脚１５を含むことができ、脚１５は、タンクハウジング１ｈの各側でタンクハウジング１ｈから延び、各側でラック脚１４によって分離される。本発明の一部の実施形態では、脚１５のうちの少なくとも１つは、各々が、面上に置かれた又は位置決めされた時にタンクアセンブリ１及び／又は少なくともタンクハウジング１ｈの支持を提供することができる。
【００２８】
一部の実施形態では、タンク蓋３０は、内側容積２にアクセスするための１又は２以上の構造体を含むことができる。例えば、タンクアセンブリ１のタンク蓋３０を示す図７Ａを再び参照すると、一部の実施形態では、タンク蓋３０は、主本体３０ｃから延びるタンク蓋３０の後端３０ｂに位置決めされた蓋前部ボス（上側ハウジング３１として図示）を含むことができる。一部の実施形態では、上側ハウジング３１は、適切な蓋３０設置を可能にすることができる。一部の実施形態では、上側ハウジング３１は、アクセス、観察、及び／又は空気流れを容易にする１又は２以上の開口を含むことができる。例えば、一部の実施形態は、前端１ａに向けて上側ハウジング３１の一部分を横切って延びる蓋流体スロット３２を含む。一部の実施形態では、蓋流体スロット３２は、流体入口へのアクセスの容易さを提供することができる。
【００２９】
一部の更に別の実施形態は、後端１ｂに向けてかつ蓋タブ３４に隣接して上側ハウジング３１の一部分を横切って延びる蓋食物スロット３３を含む。一部の実施形態では、蓋食物スロット３３は、蓋３０を取り外す必要なしに給餌のためのアクセスを提供することができる。一部の実施形態では、開口は、数及びサイズ及び／又は上側ハウジング３１上の位置が変わる可能性がある。更に、一部の実施形態は、１又は２以上の類似の開口又は通気口をタンク蓋３０の他の領域に含むことができる。
【００３０】
図５Ｂと、上側及び下側ノッチ４ａ及び反対側で前部側壁１ｅの内端に位置決めされた延長部４ｂ、及び上側及び下側ノッチ４ａ及び上側及び下側延長部４ｂがタンクバッフル４０をタンクハウジング１ｈ内に固定及び／又は保持することができる機能に関連する上述の議論とを参照すると、一部の実施形態では、タンクバッフル４０は、上側及び下側ノッチ４ａ及び上側及び下側延長部４ｂと結合することができる１又は２以上の構造体を含むことができる。例えば、図８Ｂは、本発明の一部の実施形態による図１のタンクアセンブリのバッフルの拡大図を示し、図８Ａは、本発明の一部の実施形態による図１のタンクアセンブリ１のバッフル４０の外側に向く斜視図（図８Ｂでは領域８Ｂが図示）を示している。更に、図８Ｃは、本発明の一部の実施形態による図１のタンクアセンブリのバッフル４０の外側に向く斜視図を示している。本発明の一部の実施形態では、バッフル４０の一方の側は、少なくとも１つのタブを含むことができ、反対側は、少なくとも１つのレシーバを含むことができる。例えば、一部の実施形態は、一方の側のバッフルバネ４１ａ及び／又は反対側の上側部分及び下側部分レシーバ４１ｂを含む。一部の実施形態では、バッフルバネ４１ａは、タンクハウジング１ｈとバッフル４０の最適適合を保証することができ、（図８Ｂに示す）面４４は、バッフル４０とタンクハウジング１ｈの間の最適密封を保証することができる。一部の実施形態では、バッフル４０が内側容積２内に少なくとも部分的に位置決めされた時に、バッフルバネ４１ａは、上側及び下側ノッチ４ａに結合するか又は上側及び下側ノッチ４ａに位置決めすることができ、及び／又はタンクハウジング１ｈの上側及び下側延長部４ｂのうちの少なくとも１つは、バッフル４０の上側及び／又は下側レシーバ４１ｂに位置決めすることができる。一部の実施形態では、ノッチ４ａへのバッフルバネ４１ａの結合及び／又は上側部分及び下側部分レシーバ４１ｂへの上側及び下側延長部４ｂの結合は、機械結合及び／又は摩擦結合とすることができる。一部の実施形態では、バッフルバネ４１ａ及び／又は上側及び下側延長部４ｂのうちの少なくとも１つは、それぞれのノッチ４ａ及びレシーバ４１ｂの内外に位置決めされる時に撓む、曲がる、又は移動することができる。一部の実施形態では、ノッチ４ａ及び／又は延長部４ｂ及び／又はバッフルバネ４１ａ及び／又はレシーバ４１ｂの数及び位置は、本明細書に説明する非限定的実施形態の範囲を超えて変わる可能性がある。例えば、一部の実施形態は、図示及び説明する数よりも多い又は少ないノッチ４ａ及び／又は延長部４ｂ及び／又はバッフルバネ４１ａ及び／又はレシーバ４１ｂを含む。
【００３１】
一部の実施形態では、バッフル４０は、上端４６ａでバッフル越流傾斜部４６を通って延びる複数のバッフル越流スロット４２、及び一方の側から反対側までバッフル越流傾斜部４６を横切るバッフル位置付け隆起４５を含むことができる。一部の実施形態では、バッフル位置付け隆起４５は、タンクハウジング１ｈとバッフル４０の最適適合を保証することができる。一部の実施形態では、バッフル越流スロット４２は、１又は２以上のチャネル内の閉塞があった場合に最適な流体排水を保証することができる。更に、一部の実施形態では、バッフル４０は、バッフル４０の少なくとも部分長さを延びるバッフル流体路４３を含むことができる。一部の実施形態では、バッフル流体路４３は、バッフル位置付け隆起４５に隣接する場所からバッフル越流傾斜部４６の下端４６ｂに向けて延びることができる。更に、一部の実施形態では、バッフル流体路４３は、バッフル位置付け隆起４５に隣接した場所からバッフル越流傾斜部４６の下端４６ｂに向けて延び、かつバッフル４０の一方の側からバッフル４０の反対側まで延びるトラフ４７の中に延びることができる。一部の実施形態では、バッフル流体路４３は、最適な流体誘導を保証することができる。図１０Ａの断面図及び図５Ｂの部分斜視図を参照すると、一部の実施形態では、バッフル流体路４３は、流体出口５を通して出口セクション１ｇの最終流体出口６に結合された出口チャネル５ａに流体結合することができる。一部の実施形態では、最終流体出口６は、流体出口誘導を提供することができる。
【００３２】
一部の実施形態は、タンクアセンブリ１の１又は２以上の他の構造体を固定するためのノッチ、タブ、延長部、又は他の従来の結合手段を更に含む。例えば、上述のように、一部の実施形態は、タンクフィルタ５０の縁部をその中に挿入することができる１又は２以上のチャネル又はガイド１０のようなスロットを収容するタンクフィルタを含み、一部の実施形態は、タンクフィルタ５０の延長部又はタブと結合することができる１又は２以上の短いリブ又は延長部１１を含む。例えば、図９Ａは、本発明の一部の実施形態による図１のタンクアセンブリのタンクフィルタ５０の斜視図を示し、図９Ｂは、本発明の一部の実施形態による図９Ａのタンクアセンブリ１のタンクフィルタ５０の縁部分の斜視図を示している（図示の図９Ａの領域９Ｂが図９Ｂに表されている）。一部の実施形態では、タンクフィルタ５０は、上端５０ｂ及び下端５０ｃ及び側縁５２を含むフレーム５０ａを含むことができる。一部の実施形態では、フィルタ、スクリーン、又はメッシュ（要素５３）は、フレーム５０ａ内に位置決めされ、及び／又は少なくとも何らかの流体濾過を提供するためにフィルタ、スクリーン、又はメッシュ５３を支持し、それに固定され、及び／又はそれと一体化することができる。一部の実施形態では、下端５０ｃは、２つの角度付きの又は内向きに傾斜した側面５４を含むことができる。一部の実施形態では、角度付きの又は内向きに傾斜した側面５４は、タンクハウジング１ｈの底面２ｄを補完するように成形される（例えば、中心線２ｅが、タンクフィルタ５０の頂点５４ａと結合するように構成された内側容積２の最下点に対応し、従って、底面２ｄが、タンクアセンブリ１の傾斜する底部を含むことができる図５Ａを参照されたい）。一部の実施形態では、フィルタ、スクリーン、又はメッシュ５３は、主容積２ａと濾過容積２ｂ及び／又は出口容積との間の流体流れを可能にすることができる。一部の実施形態では、傾斜した底面２ｄは、デブリ誘導の改善を提供することができる。一部の実施形態では、フィルタ、スクリーン、又はメッシュ５３は、主容積２ａと濾過容積２ｂ及び／又は出口容積との間に懸濁物質及び／又は水生動物の移送を防止することができる。
【００３３】
一部の実施形態では、タンクフィルタ５０は、タンクフィルタ５０の縁部又は側面又は側縁５２上に位置決めされた少なくとも１つのフィルタバネ５１を含むことができる。一部の実施形態では、フィルタバネ５１は、タンクハウジング１ｈとの少なくとも部分的な密封を提供することができる。例えば、一部の実施形態は、タンクフィルタ５０の１つの側縁５２上に位置決めされた少なくとも１つのフィルタバネ５１を含む。一部の実施形態では、タンクフィルタ５０を内側容積２に挿入中に、少なくとも１つのフィルタバネ５１は、結合してタンクハウジング１ｈの延長部１１上を摺動することができる。一部の実施形態では、延長部１１との１又は２以上のフィルタタブ５１の結合は、機械結合及び／又は摩擦結合とすることができる。一部の実施形態では、少なくとも１つのフィルタバネ５１及び／又は延長部１１は、フィルタ５０が挿入中である又はタンクハウジング１ｈの内側容積２から取り外し中である時に屈曲する、曲がる、又は移動することができる。フィルタタブ５１及び／又は延長部１１の数及び位置は、本明細書に説明する非限定的実施形態の範囲を超えて変わる可能性がある。例えば、一部の実施形態は、より多い又は少ないフィルタタブ５１及び／又は延長部１１を含む。
【００３４】
内側容積２の全体アーキテクチャ、形状、及び容積割合は、図１０Ａの図から更に理解することができ、図１０Ａは、本発明の一部の実施形態による図１のタンクアセンブリの側面断面図を示し、図１０Ｂは、本発明の一部の実施形態による図１のタンクアセンブリの上面断面図を示している。一部の実施形態では、出口容積２ｃを含むタンクハウジング１ｈの出口セクション１ｇは、図示のようにタンクハウジング１ｈの高さの約半分まで延びることができる。他の実施形態では、出口容積２ｃを含むタンクハウジング１ｈの出口セクション１ｇは、タンクハウジング１ｈの高さの半分未満まで、又はタンクハウジング１ｈの高さよりも高く延びることができる。一部の実施形態では、主容積２ａ及び／又は濾過容積２ｂは、１又は２以上のタンクフィルタ５０の位置に基づいて変わる可能性がある。
【００３５】
図１１は、本発明の一部の更に別の実施形態によるタンクアセンブリ１０１の斜視図を示している。本発明の一部の実施形態は、前端１０１ａ及び後端１０１ｂを含むタンクハウジング１０１ｈに結合されたタンク蓋１０３０を含むタンクアセンブリ１０１を含み、側壁１０１ｃは、各側で後部側壁１０１ｄから前部側壁１０１ｅまで延びる。一部の実施形態では、タンク蓋１０３０は、前端１０３０ａから後端１０３０ｂまで延びる主本体１０３０ｃを含むことができ、出口部分１０３０ｄは、前端１０３０ａで主本体１０３０ｃから延びる。一部の更に別の図は、タンクアセンブリ１０１の外部及び内部構成要素の可視化を可能にすることができるタンクアセンブリ１０１の構成要素又は部分のいくつかの図を含む。例えば、図１２は、本発明の一部の実施形態によるタンク蓋１０３０が取り外された図１１のタンクアセンブリ１０１を示している。この図は、前端１０１ａに向けてタンクハウジング１０１０に位置決めすることができる１又は２以上のタンクフィルタ１０５０を非限定的例実施形態として含むタンクアセンブリ１０１の様々な内部空間及び構成要素を明らかにしている。一部の実施形態では、フィルタ１０５０は、取り外す及び／又は交換することができる。更に、図１３は、本発明の一部の実施形態によるタンク蓋１０３０が取り外されてタンクフィルタ１０５０が上昇位置にある図１１のタンクアセンブリ１０１を示している。一部の実施形態では、タンクフィルタ１０５０は、図示のように、第１のフィルタ１０５７及び／又は第２のフィルタ１０５９を含むことができる。
【００３６】
一部の実施形態は、図示のように、取り外し可能又は交換可能なタンクバッフル１０４０を含む。一部の実施形態では、タンクバッフル１０４０は、タンクフィルタ１０５０と出口容積１０２ｃを含むタンクハウジング１０１ｈの出口セクション１０１ｇとの間で前端１０１ａに位置決めすることができる。一部の実施形態では、タンクバッフル１０４０は、水力性能が改善するように流体を向けるように機能することができる。一部の実施形態では、タンクフィルタ１０５０及び／又はタンクバッフル１０４０の配置は、タンクアセンブリ１０１の内側容積１０２の各部分を複数の流体結合又は相互接続領域に区画化又はカスタマイズすることを可能にすることができる。例えば、一部の実施形態では、タンクアセンブリ１０１は、図示のように、１又は２以上のタンクフィルタ１０５０の一時的、準一時的、又は恒久的配置によって形成することができる内側容積１０２の主容積１０２ａ及び濾過容積１０２ｂを含むことができる。更に、一部の実施形態では、濾過容積１０２ｂと出口容積１０２ｃの間のタンクバッフル１０４０の一時的、準一時的、又は恒久的配置は、流体結合された出口容積１０２ｃを生成する又は可能にすることができる。一部の実施形態では、内側容積１０２を有する特定の流体容積、及び／又はタンクフィルタ１０５０及び／又はタンクバッフル１０４０がタンクアセンブリ１内で定位置にあるか否かに依存して、少なくとも一部の流体は、主容積１０２ａ及び／又は濾過容積１０２ｂ及び／又は出口容積１０２ｃから流体結合することができる。一部の実施形態は、所有者又は飼育者が内側容積２のいずれかの部分内のいずれかの水生動物の水生環境をカスタマイズすることを可能にすることができる選択可能又はカスタマイズ可能な内側容積１０２を含む。
【００３７】
本発明の一部の実施形態では、１又は２以上のタンクフィルタ１０５０及び／又はタンクバッフル１０４０は、タンクアセンブリ１０１の内側容積１０２の中に可逆的に挿入することができる。例えば、図１３は、本発明の一部の実施形態によるタンク蓋１０３０が取り外されてタンクバッフル１０４０及びタンクフィルタ１０５０が上昇位置にある図１１のタンクアセンブリ１０１を示している。図１４は、本発明の一部の実施形態によるタンク蓋１０３０及びタンクフィルタ１０５０が取り外されてタンクバッフル１０４０が上昇位置にある図１１のタンクアセンブリ１０１を示している。一部の実施形態では、１又は２以上のタンクフィルタ１０５０は、設置するか又は内側容積１０２から取り外すことができる。図１３に示す非限定的実施形態は、２つのタンクフィルタ１０５０とタンクバッフル１０４０との挿入の図を示すが、一部の実施形態では、タンクフィルタ１０５０の数は、変わる可能性がある（すなわち、図示の数よりも多い又は少ない）。更に、一部の実施形態では、１又は２以上のタンクバッフル１０４０は、ユーザ要件に基づいて含める又は含めない場合がある。挿入及び取り外し方法、及びタンクフィルタ１０５０及びタンクバッフル１０４０の挿入及び保持に関連する構造的特徴を少なくとも図１５Ｂ及び図１８Ａ〜図１８Ｃに関連して以下に説明する。
【００３８】
本発明の一部の実施形態では、タンク蓋１０３０は、後部側壁１０１ｄの上縁上に位置付けられたタンク蓋スナップハウジング（カプラ１０７）を使用してタンクハウジング１０１ｈに固定され、そこから解除され、及び／又はその上でピボット回転することができる。例えば、図１５Ａは、本発明の一部の実施形態によるタンク蓋１０３０、タンクバッフル１０４０、及びタンクフィルタ１０５０が取り外された図１１のタンクアセンブリ１０１を示している。カプラ１０７及び関連のタブ１０８の更に別の詳細は、図１６Ａ及び図１６Ｂを参照して、更に本発明の一部の実施形態によるタンク蓋１０３０、タンクバッフル１０４０、及びタンクフィルタ１０５０が取り外された図１１のタンクアセンブリの前端の拡大図を示す図１５Ｂを参照して以下に説明する。上述のように、本発明の一部の実施形態では、１又は２以上のタンクフィルタ１０５０及び／又はタンクバッフル１０４０は、取り外すか又はタンクアセンブリ１０１の内側容積１０２の中に挿入することができる。一部の実施形態では、単一タンクフィルタ１０５０を設置する又は内側容積１０２から取り外すことができる。他の実施形態では、複数のタンクフィルタ１０５０を設置する又は内側容積１０２から取り外すことができる。一部の実施形態では、側壁１ｃは、タンクフィルタ１０５０の縁部をその中に挿入することができる１又は２以上のチャネル又はガイド１０１０を含むことができる。一部の実施形態では、ガイド１０１０は、タンクフィルタ１０５０の挿入のためのガイドを提供するように機能することができ、及び／又は内側容積１０２に挿入された状態でタンクフィルタ１０５０を位置決めする及び／又は保持するように機能することができる。更に、一部の実施形態は、タンクフィルタ１０５０の延長部又はタブと結合することができる１又は２以上の延長部１０１１を含む（図９Ａ及び図９Ｂに関連して更に以下に説明する）。一部の実施形態では、タンクフィルタ１０５０は、少なくとも何らかの濾過機能を提供することができる。一部の実施形態では、タンクフィルタ１０５０は、適切な流体濾過を提供することができる。
【００３９】
図１５Ｂに示す非限定的実施形態では、２つのガイド１０１０が示されており、ガイド１０１０の各々は、図１３に示す２つのタンクフィルタ１０５０の一方に対応する。しかし、ガイド１０１０の数は、ユーザ要件に基づいて（すなわち、タンクフィルタ１０５０の指定された数に基づいて）変わる可能性がある（図示の数よりも多い又は少ない）。更に、一部の実施形態では、ガイド１０１０の位置は、変わる可能性がある。例えば、一部の実施形態では、図１５Ｂに示すガイド１０１０は、更に離れるように離間させることができる。一部の実施形態では、２又は３以上のガイド１０１０を用いて、１又は２以上の長いリブ又はセパレータ１０１２は、ガイド１０１０間に側壁１０１ｃから内側容積１０２に延びるように位置決めすることができる。一部の実施形態では、１又は２以上のセパレータ１０１２は、タンクフィルタ１０５０の間の分離を維持することを支援することができる。一部の実施形態では、１又は２以上のセパレータ１０１２は、１又は２以上のタンクフィルタ１０５０の位置合わせを支援するように機能することができる。
【００４０】
図１５Ａ及び図１５Ｂを再び参照すると、挿入されたタンクバッフル１０４０内に濾過容積１０２ｂ及び出口容積１０２ｃの領域内のタンクハウジング１０１ｈの構造を示す図が示されている。例えば、一部の実施形態は、主流れ壁１０３を有する出口セクション１０１ｇを含み、主流れ壁１０３は、出口セクション１０１ｇがタンクハウジング１０１ｈの前端１０１ａから延びる場所の近くの前端１０１ａで２つの側壁１０２ｃの間を延びる。例えば、一部の実施形態は、出口セクション１０１ｇの近くで前部側壁１０１ｅの間を延び、内側容積１０２内にかつ少なくとも部分的に濾過容積１０２ｂ及び／又は出口容積１０２ｃ内に位置決めされた主流れ壁３を含む。一部の実施形態では、主流れ壁１０３は、流体誘導の改善を提供するように機能することができる。一部の実施形態では、主流れ壁１０３は、少なくとも１つのスロット１０５を含むことができる。更に、一部の実施形態では、出口セクション１０１ｇは、主流れ壁１０３の近くの端部の反対側の出口セクション１０１ｇの端部に位置決めされた少なくとも１つのロックキャビティ１０１３を含むことができる。更に、図１５Ｂに示すタンクアセンブリ１０１ｈの前端１０１ａの拡大図に示すように、一部の実施形態は、一方の側で前部側壁１０１ｅの内端に位置決めされた（上側及び下側ノッチ１０４ａ）と、反対側で前部側壁１０１ｅの内端に位置決めされた上側及び下側延長部１０４ｂとを含むタンクバッフル保持リブを含む。一部の実施形態では、上側及び下側ノッチ１０４ａ及び上側及び下側延長部１０４ｂは、図１８Ａ〜図１８Ｃに関連して以下で更に説明するように、タンクバッフル１０４０を結合する、固定する、及び／又は保持するのに使用することができる。
【００４１】
図１６Ａは、本発明の一部の実施形態による図１１のタンクアセンブリ１０１の側面斜視図を示し、タンク蓋１０３０、タンクバッフル１０４０、及びタンクフィルタ１０５０は、明暸さのために取り外され、領域１６Ｃは、図１６Ｃにマーク付けされて例示されている。図示のように、本発明の一部の実施形態では、タンクハウジング１０１ｈは、タンクハウジング１０１ｈの一部分を横切って延びる１又は２以上の入れ子式リブ１０１６を含むことができる。一部の実施形態では、入れ子式リブ１０１６は、入れ子粘着を防止するために適度の停止を提供することができる。例えば、一部の実施形態は、タンクハウジング１０１ｈの上部側面上の（かつ定位置にある時にタンク蓋１０３０の近くの）タンク産卵インサートノッチ（スロット１０９）に隣接する場所からタンクハウジング１０１ｈの下端に向けて延びる入れ子式リブ１０１６を含む。一部の実施形態では、スロット１０９は、産卵インサートを含む他の特徴部又は追加物を受け入れる又は支持することができる。
【００４２】
図６Ｄを参照すると、一部の実施形態は、スタンド部分、延長部、又は脚を形成する１又は２以上のラック脚１０１４及び／又は脚１０１５を含む側壁１０１ｃの延長部を含む。更に、一部の実施形態は、後部側壁１０１ｄを通って延びるタンクレベルロケータ１０１７を含む。一部の実施形態では、追加通気口又は開口を少なくとも後部側壁１０１ｄに又はタンクアセンブリ１０１の他の部分に含めることができる。一部の実施形態では、ラック脚１０１４及び／又は脚１０１５は、タンクアセンブリ１０１の所要の傾斜角度を可能にする。
【００４３】
図１６Ｂは、本発明の一部の実施形態による図１１のタンクアセンブリ１０１の後端１０１ｂの上側部分の拡大図を示している。上述のように、本発明の一部の実施形態では、タンク蓋１０３０は、後部側壁１０１ｄの上縁上に位置付けられたカプラ１０７を使用してタンクハウジング１０１ｈに固定され、そこから摺動し、そこから解除され、及び／又はその上でピボット回転することができる。一部の実施形態では、カプラ１０７は、タンク蓋１０３０の各部分に結合する（タンクハウジング１０１ｈ及び蓋１０３０をロックすることを含む）のに適する移動可能タブ８を含むことができる。例えば、一部の実施形態では、タンク蓋１０３０は、カプラ１０７に結合することによってタンクハウジング１０１ｈの縁部の上部側面上に可逆的に結合することができる。
【００４４】
図１７Ａは、タンクアセンブリ１０１のタンク蓋１０３０を示し、図１７Ｂは、タンク蓋１０３０の内側面図を示し、領域１７Ｄが図１７Ｄにマーク付けされて例示されており、図１７Ｄは、ンクハウジング１０１ｈ及び蓋１０３０をロックするように機能することができる蓋スナップ１０３５を示すタンクアセンブリ１０１の後端１０１ｂの一部分の拡大図を示している。一部の実施形態では、タンク蓋１０３０は、前端１０３０ａから後端１０３０ｂまで延びる主本体１０３０ｃを含むことができ、出口部分１０３０ｄは、前端１０３０ａで主本体１０３０ｃから延び、下側リム１０３７は、主本体１０３０ｃの周りに少なくとも部分的に延びる。一部の実施形態では、下側リム１０３７は、タンク蓋１０３０がタンクハウジング１０１ｈに結合された時に内側容積１０２内に少なくとも部分的に位置決めすることができる。一部の実施形態では、下側リム１０３７は、蓋１０３０とタンクハウジング１０１ｈの間の位置合わせの改善をもたらすことができる。更に、図１７Ｅは、本発明の一部の更に別の実施形態によるタンク蓋１０３０の端部の拡大図を示し、前端１０３０ａ、端面１０３６ｃ、及び縁部１０３６ｄから延びる蓋ロッキング舌状部１０３６を示している。
【００４５】
本発明の一部の実施形態では、タブ１０３５ａは、後端１０３０ｂに位置決めされた蓋スナップ１０３５の内壁から延びることができる。図１６Ａ及び図１６Ｂを再び参照すると、一部の実施形態では、蓋１０３０は、カプラ１０７が蓋スナップ１０３５に少なくとも部分的に挿入された時に蓋スナップ１０３５に又はそこから可逆的に固定することができ、タブ１０３５ａは、可逆的にタブ１０８に結合することができる。図２０Ｃは、本発明の一部の実施形態による図２０Ａに示すような図１１のタンクアセンブリ１０１の断面Ａ−Ａの端面断面図を示し、タブ１０８に可逆的に結合することができるタブ１０３５ａの例示的実施形態を示している。一部の実施形態では、タンクハウジング１０１ｈとのタンク蓋１０３０の可逆な結合は、蓋スナップ１０３５から延びる蓋タブ１０３４を使用して容易にすることができる。一部の実施形態では、ユーザは、蓋タブ１０３４を把持し、カプラ１０７、１０３５及びタブ１０３５ａ、１０８に選択的に係合又は係合解除し、従って、タンク蓋１０３０を少なくともタンクアセンブリ１０１の後端１０１ｂで選択的に結合又は分離することができる。
【００４６】
一部の実施形態では、タンクアセンブリ１０１の前端１０１ａでのタンク蓋１０３０の結合は、前端１０１ｂでのタンク蓋１０３０及び／又はタンクハウジング１０１ｈ上の１又は２以上の構造によって容易にすることができる。例えば、図１６Ｃは、本発明の一部の実施形態による図１１のタンクアセンブリ１０１の前端１０１ｂの上側部分の拡大図を示している。更に、図１７Ｃは、本発明の一部の実施形態による図１１のタンクアセンブリ１０１のタンク蓋１０３０のロッキング舌状部１０３６の一部分の図を示している（区域１７Ｃが図１７Ｃを表す図１７Ｂに示す）。一部の実施形態では、タンクハウジング１０１ｈの前端１０１ｂは、タンク蓋１０３０が前端１０１ａでタンクハウジング１０１ｈに結合された時にタンク蓋１０３０のロッキング舌状部１０３６（出口部分１０３０ｄから延びるように位置決めされた）に結合することができるロックキャビティ１０１３を含むことができる。一部の実施形態では、ユーザは、ロッキング舌状部１０３６をロックキャビティ１０１３に少なくとも部分的に押圧するか又は押し込み、タンク蓋１０３０をタンクハウジング１０１ｈ上に少なくとも部分的に閉じる又は固定してタンクアセンブリ１０１を形成することができる。一部の実施形態では、ユーザは、ロッキング舌状部１０３６を少なくとも部分的にロックキャビティ１０１３から引く又は強制し、タンク蓋１０３０をタンクアセンブリ１０１のタンクハウジング１０１ｈから少なくとも部分的に取り外す又は解除することができる。
【００４７】
図１６Ｄは、本発明の一部の実施形態による図１１のタンクアセンブリ１０１の下側部分又はベースの拡大図を示している。一部の実施形態では、タンクハウジング１０１ｈは、各端部１０１ａ、１０１ｂに１つの脚１０１５を含むことができ、脚１０１５は、タンクハウジング１０１ｈの各側でタンクハウジング１０１ｈから延び、各側でラック脚１０１４によって分離される。本発明の一部の実施形態では、脚１０１５のうちの少なくとも１つは、各々が、面上に置かれた又は位置決めされた時にタンクアセンブリ１０１及び／又は少なくともタンクハウジング１０１ｈの支持を提供することができる。
【００４８】
一部の実施形態では、タンク蓋１０３０は、内側容積１０２にアクセスするための１又は２以上の構造体を含むことができる。例えば、タンクアセンブリ１０１のタンク蓋１０３０を示す図１７Ａを再び参照すると、一部の実施形態では、タンク蓋１０３０は、主本体１０３０ｃから延びるタンク蓋１０３０の後端１０３０ｂに位置決めされた蓋前部ボス（上側ハウジング１０３１として図示）を含むことができる。一部の実施形態では、上側ハウジング１０３１は、適切な蓋１０３０設置を可能にすることができる。一部の実施形態では、上側ハウジング１０３１は、アクセス、観察、及び／又は空気流れを容易にする１又は２以上の開口を含むことができる。例えば、一部の実施形態は、前端１０１ａに向けて上側ハウジング１０３１の一部分を横切って延びる蓋流体スロット１０３２を含む。一部の実施形態では、蓋流体スロット１０３２は、内側容積１０２へのアクセスの容易さを提供することができる。一部の更に別の実施形態は、後端１０１ｂに向けてかつ蓋タブ１０３４に隣接して上側ハウジング１０３１の一部分を横切って延びる蓋食物スロット１０３３を含む。一部の実施形態では、蓋食物スロット１０３３は、蓋１０３０を取り外す必要なしに給餌へのアクセスを提供することができる。一部の実施形態では、開口は、数及びサイズ、及び／又は上側ハウジング１０３１上の位置が変わる可能性がある。更に、一部の実施形態は、１又は２以上の類似の開口又は通気口をタンク蓋１０３０の他の領域に含むことができる。
【００４９】
図１５Ｂと、上側及び下側ノッチ１０４ａ及び反対側で前部側壁１０１ｅの内端に位置決めされた延長部１０４ｂ、及び上側及び下側ノッチ１０４ａ及び上側及び下側延長部１０４ｂがタンクバッフル１０４０をタンクハウジング１０１ｈ内に固定及び／又は保持することができる機能に関連する上述の議論とを参照すると、一部の実施形態では、タンクバッフル１０４０は、上側及び下側ノッチ１０４ａ及び上側及び下側延長部１０４ｂと結合することができる１又は２以上の構造体を含むことができる。例えば、図１８Ｂは、本発明の一部の実施形態による図１１のタンクアセンブリ１０１のバッフル１０４０の拡大図を示し、図１８Ａは、本発明の一部の実施形態による図１１のタンクアセンブリ１０１のバッフル１０４０の外側に向く斜視図を示している。更に、図１８Ｃは、本発明の一部の実施形態による図１１のタンクアセンブリ１０１のバッフル１０４０の外側に向く斜視図を示している。
【００５０】
一部の実施形態では、バッフル１０４０は、タンクハウジング１０１ｈの中に固定することを容易にする構造体を含むことができる。例えば、バッフル１０４０の一方の側は、少なくとも１つのタブを含むことができ、反対側は、少なくとも１つのレシーバを含むことができる。例えば、一部の実施形態は、バッフル１０４０の一方の側でバッフルバネ１０４１ａ及び／又はバッフル１０４０の反対側で上側部分及び下側部分レシーバ１０４１ｂを含む。一部の実施形態では、バッフルバネ１０４１ａは、タンクハウジング１０１ｈとバッフル１０４０の最適適合を保証することができ、面１０４４（図１８Ｂに示す）は、バッフル１０４０とタンクハウジング１０１ｈの間の最適密封を保証することができる。一部の実施形態では、バッフル１０４０が内側容積１０２内に少なくとも部分的に位置決めされた時に、バッフルバネ１０４１ａは、上側及び下側ノッチ１０４ａに結合する又はその中に位置決めすることができ、及び／又はタンクハウジング１ｈの上側及び下側延長部１０４ｂのうちのうちの少なくとも一方は、バッフル１０４０の上側及び／又は下側レシーバ１０４１ｂの中に位置決めすることができる。一部の実施形態では、ノッチ１０４ａの中へのバッフルバネ１０４１ａの結合及び／又は上側部分及び下側部分レシーバ１０４１ｂの中への上側及び下側延長部１０４ｂの結合は、機械結合及び／又は摩擦結合とすることができる。一部の実施形態では、バッフルバネ１０４１ａ及び／又は上側及び下側延長部１０４ｂのうちの少なくとも１つは、それぞれのノッチ１０４ａ及びレシーバ１０４１ｂの内外に位置決めされた時に撓む、曲がる、又は移動することができる。一部の実施形態では、ノッチ１０４ａ及び／又は延長部１０４ｂ及び／又はバッフルバネ１０４１ａ及び／又は１０レシーバ４１ｂの数及び位置は、本明細書に説明する非限定的実施形態の範囲を超えて変わる可能性がある。例えば、一部の実施形態は、図示及び説明する数よりも多いか又は少ないノッチ１０４ａ及び／又は延長部１０４ｂ及び／又はバッフルバネ１０４１ａ及び／又はレシーバ１０４１ｂを含む。
【００５１】
一部の実施形態では、バッフル１０４０は、上端１０４６ａでバッフル越流傾斜部１０４６を通って延びる複数のバッフル越流スロット１０４２、及び一方の側から反対側までバッフル越流傾斜部１０４６を横切るバッフル位置付け隆起１０４５を含むことができる。一部の実施形態では、バッフル位置付け隆起１０４５は、タンクハウジング１０１ｈとバッフル１０４０の最適適合を保証することができる。一部の実施形態では、バッフル越流スロット１０４２は、１又は２以上のチャネル内の閉塞があった場合に最適な流体排水を保証することができる。更に、一部の実施形態では、バッフル１０４０は、バッフル１０４０の少なくとも部分長さを延びるバッフル流体路１０４３を含むことができる。更に、一部の実施形態では、バッフル流体路１０４３は、バッフル位置付け隆起１０４５に隣接した場所からバッフル越流傾斜部１０４６の下端１０４６ｂに向けて延びることができる。更に、一部の実施形態では、バッフル流体路１０４３は、バッフル位置付け隆起１０４５に隣接した場所からバッフル越流傾斜部１０４６の下端１０４６ｂに向けて延びることができ、バッフル４０の一方の側からバッフル４０の反対側まで延びるトラフ４７に延びることができる。一部の実施形態では、バッフル流体路１０４３は、最適な流体誘導を保証することができる。図２０Ａの断面図及び図１５Ｂの部分斜視図を参照すると、一部の実施形態では、バッフル流体路４３は、流体出口１０５を通して出口セクション１０１ｇの最終流体出口１０６に結合された出口チャネル１０５ａに流体結合することができる。一部の実施形態では、最終流体出口１０６は、流体出口誘導を提供することができる。
【００５２】
一部の実施形態は、タンクアセンブリ１０１の１又は２以上の他の構造体を固定するためのノッチ、タブ、延長部、又は他の従来の結合手段を更に含む。例えば、上述のように、一部の実施形態は、タンクフィルタ１０５０の縁部をその中に挿入することができる１又は２以上のチャネル又はガイド１０１０のようなスロットを収容するタンクフィルタを含み、一部の実施形態は、タンクフィルタ１０５０の延長部又はタブと結合することができる１又は２以上の短いリブ又は延長部１０１１を含む。例えば、図１９Ａは、本発明の一部の実施形態による図１のタンクアセンブリ１のタンクフィルタ１０５０の斜視図を示し、図１９Ｂは、本発明の一部の実施形態による図１９Ａのタンクアセンブリ１０１のタンクフィルタ１０５０の縁部分の斜視図を示している。一部の実施形態では、タンクフィルタ１０５０は、上端１０５０ｂ及び下端１０５０ｃ、及び側縁１０５２を含むフレーム１０５０ａを含むことができる。一部の実施形態では、フィルタ、スクリーン、又はメッシュ（要素１０５３）は、フレーム１０５０ａに位置決めされ、及び／又は少なくとも何らかの流体濾過を提供するためにフィルタ、スクリーン、又はメッシュ１０５３を支持、固定し、及び／又はフィルタ、スクリーン、又はメッシュ１０５３と一体化することができる。一部の実施形態では、下端１０５０ｃは、２つの角度付きの又は内向きに傾斜した側面１０５４を含むことができる。一部の実施形態では、角度付きの又は内向きに傾斜した側面１０５４は、タンクハウジング１０１ｈの底面１０２ｄを補完するように成形された（例えば、図１５Ａを参照されたい。中心線１０２ｅは、タンクフィルタ１０５０の頂点１０５４ａと結合するように構成された内側容積１０２の最下点に対応し、従って、底面１０２ｄは、タンクアセンブリ１０１の傾斜する底部を含むことができる）。一部の実施形態では、フィルタ、スクリーン、又はメッシュ１０５３は、主容積１０２ａと濾過容積１０２ｂ及び／又は出口容積との間に流体流れを可能にすることができる。一部の実施形態では、傾斜した底面１０２ｄは、デブリ誘導の改善を提供することができる。一部の実施形態では、フィルタ、スクリーン、又はメッシュ１０５３は、主容積１０２ａと濾過容積１０２ｂ及び／又は出口容積との間の懸濁物及び／又は水生動物の移送を防止することができる。
【００５３】
一部の実施形態では、タンクフィルタ１０５０は、タンクフィルタ１０５０の縁部又は側面又は側縁１０５２上に位置決めされた少なくとも１つのフィルタバネ１０５１を含むことができる。一部の実施形態では、フィルタバネ１０５１は、タンクハウジング１０１ｈとの少なくとも部分的な密封を提供することができる。例えば、一部の実施形態は、タンクフィルタ１０５０の１つの側縁１０５２上に位置決めされた少なくとも１つのフィルタバネ１０５１を含む。一部の実施形態では、タンクフィルタ１０５０を内側容積１０２の中への挿入中に、少なくとも１つのフィルタバネ１０５１は、結合してタンクハウジング１ｈの延長部１０１１上を摺動することができる。一部の実施形態では、延長部１０１１との１又は２以上のフィルタタブ１０５１の結合は、機械結合及び／又は摩擦結合とすることができる。一部の実施形態では、少なくとも１つのフィルタバネ１０５１及び／又は延長部１０１１は、フィルタ１０５０が挿入されている又はタンクハウジング１０１ｈの内側容積１０２から取り外されている時に撓む、曲がる、又は移動することができる。フィルタタブ１０５１及び／又は延長部１０１１の数及び位置は、本明細書に説明する非限定的実施形態の範囲を超えて変わる可能性がある。例えば、一部の実施形態は、より多い又は少ないフィルタタブ１０５１及び／又は延長部１０１１を含む。本発明の他の実施形態では、タンクフィルタは、フィルタバネ１０５１を含むことができない。例えば、図１９Ｃは、上端１１５０ｂ、下端１１５０ｃ、及び側縁１１５２を含むフレーム１１５０ａを含むタンクフィルタ１１５０を示している。一部の実施形態では、フィルタ、スクリーン、又はメッシュ（要素１１５３）は、フレーム１１５０ａ内に位置決めされ、少なくとも何らかの流体濾過を提供するためにフィルタ、スクリーン、又はメッシュ１１５３を支持し、それに固定され、及び／又はそれと一体化することができる。一部の実施形態では、下端１１５０ｃは、２つの角度付きの又は内向きに傾斜した側面１１５４を含むことができる。一部の実施形態では、角度付きの又は内向きに傾斜した側面１１５４は、タンクハウジング１０１ｈの底面１０２ｄを補完するように成形される。一部の実施形態では、フィルタ、スクリーン、又はメッシュ１１５３は、主容積１０２ａと濾過容積１０２ｂ及び／又は出口容積との間に流体流れを可能にすることができる。一部の実施形態では、フィルタ、スクリーン、又はメッシュ１１５３は、主容積１０２ａと濾過容積１０２ｂ及び／又は出口容積との間の懸濁物及び／又は水生動物の移送を防止することができる。
【００５４】
内側容積１０２の全体アーキテクチャ、形状、及び容積割合は、図２０Ａから更に理解することができ、図２０Ａは、本発明の一部の実施形態による図１１のタンクアセンブリ１０１の側面断面図を示し、図２０Ｂは、本発明の一部の実施形態による図１１のタンクアセンブリ１０１の上面断面図を示している。一部の実施形態では、出口容積１０２ｃを含むタンクハウジング１１０ｈの出口セクション１１０ｇは、図示のようにタンクハウジング１１０ｈの高さの約半分まで延びることができる。他の実施形態では、出口容積１０２ｃを含むタンクハウジング１ｈの出口セクション１１０ｇは、タンクハウジング１０１ｈの高さの半分未満、又はタンクハウジング１０１ｈの高さよりも高く延びることができる。一部の実施形態では、主容積１０２ａ及び／又は濾過容積１０２ｂは、１又は２以上のタンクフィルタ１０５０の位置に基づいて変わる可能性がある。
【００５５】
上述のように、本発明の一部の実施形態では、タンク蓋１０３０は、タンクハウジング１０１ｈから摺動することができる。図３１〜図３８は、タンク蓋１０３０がタンクハウジング１０１ｈの上に又はそこから離れるように摺動するタンクアセンブリ１０１の組み立て又は分解を示すことを意図している。例えば、図２１は、本発明の一部の更に別の実施形態による部分的に開いた蓋１０３０を有するタンクアセンブリ１０１を示し、図２２は、本発明の一部の更に別の実施形態によるタンクハウジング１０１ｈの一部分の拡大図を示している。更に、図２３は、本発明の一部の更に別の実施形態によるタンクハウジング１０１ｈの一部分の側面断面図を示している。更に、図２４は、本発明の一部の更に別の実施形態による部分的に開いた蓋１０３０を有するタンクアセンブリ１０１を示し、図２５は、本発明の一部の更に別の実施形態によるタンクハウジング１０１ｈの一部分の拡大図を示している。更に、図２６は、本発明の一部の更に別の実施形態によるタンクハウジング１０１ｈの一部分の側面断面図を示している。
【００５６】
図２７は、本発明の一部の更に別の実施形態による部分的に開いた蓋１０３０を有するタンクアセンブリ１０１を示し、図２８は、本発明の一部の更に別の実施形態によるタンクハウジング１０１ｈの一部分の拡大図を示している。更に、図２９は、本発明の一部の更に別の実施形態によるタンクハウジング１０１ｈの一部分の側面断面図を示している。図３０は、本発明の一部の更に別の実施形態による部分的に開いた蓋１０３０を有するタンクアセンブリ１０１を示し、図３１は、本発明の一部の更に別の実施形態によるタンクハウジング１０１ｈの一部分の拡大図を示している。更に、図３２は、本発明の一部の更に別の実施形態によるタンクハウジング１０１ｈの一部分の側面断面図を示している。図３３は、本発明の一部の更に別の実施形態によるタンクアセンブリ１０１を示し、図３４は、本発明の一部の更に別の実施形態によるタンクハウジング１０１ｈの一部分の拡大図を示している。更に、図３５は、本発明の一部の更に別の実施形態によるタンクハウジング１０１ｈの一部分の断面図を示している。図３６は、本発明の一部の更に別の実施形態によるタンクアセンブリ１０１を示し、図３７は、本発明の一部の更に別の実施形態によるタンクハウジング１０１ｈの一部分の拡大図を示している。更に、図３８は、本発明の一部の更に別の実施形態によるタンクハウジング１０１ｈの一部分の断面図を示している。
【００５７】
図３９Ａは、本発明の一部の更に別の実施形態によるタンクアセンブリ１０１の一部分の断面図を示し、かつ出口部分１０３０ｄとのタンク蓋１０３０の挿入及びロッキングを表している。拡大区域３９ｂは、図３９Ｂとして示されており、図３９Ｂは、本発明の一部の更に別の実施形態によるタンクアセンブリ１０１の一部分の断面図を示し、かつ挿入されたタンク蓋１０３０のロッキング舌状部１０３６を示し、接合部１０１８ｂが、タンクロッキング舌状部１０３６とタンク蓋停止面１０１８の間に形成されている。前端１０３０ａ、端面１０３６ｃ及び縁部１０３６ｄから延びる蓋ロッキング舌状部１０３６を示す図１７Ｅを再び参照すると、接合部１０１８ｂは、縁部１０３６ｄ及びタンク蓋停止面１０１８を用いて形成され、端面１０３６ｃは、タンク蓋停止面１０１８とインタフェースしている。更に、図４０は、本発明の一部の更に別の実施形態による上昇した蓋１０３０を含むタンクアセンブリ１０１の斜視図を示し、かつ挿入されたタンク蓋１０３０のロッキング舌状部１０３６を示し、接合部１０１８ｂが、図３９Ｂに表すようにタンクロッキング舌状部１０３６とタンク蓋停止面１０１８の間に形成されている。
【００５８】
本発明を特定の実施形態及び実施例に関連して説明したが本発明は必ずしもそのように制限されないこと、及び多くの他の実施形態、実施例、使用、及び実施形態、実施例、及び使用からの修正及び逸脱は本明細書に添付する特許請求の範囲によって包含されるように意図していることは当業者によって認められるであろう。本発明の様々な特徴及び利点は、以下の特許請求の範囲に列挙している。
【符号の説明】
【００５９】
１  タンクアセンブリ
１ａ  前端
１ｈ  タンクハウジング
３０  タンク蓋
３０ｄ  出口部分
【図１】
2021525552.tif 000003
【図２】
2021525552.tif 000004
【図３】
2021525552.tif 000005
【図４】
2021525552.tif 000006
【図５Ａ】
2021525552.tif 000007
【図５Ｂ】
2021525552.tif 000008
【図６Ａ】
2021525552.tif 000009
【図６Ｂ】
2021525552.tif 000010
【図６Ｃ】
2021525552.tif 000011
【図６Ｄ】
2021525552.tif 000012
【図７Ａ】
2021525552.tif 000013
【図７Ｂ】
2021525552.tif 000014
【図７Ｃ】
2021525552.tif 000015
【図７Ｄ】
2021525552.tif 000016
【図８Ａ】
2021525552.tif 000017
【図８Ｂ】
2021525552.tif 000018
【図８Ｃ】
2021525552.tif 000019
【図９Ａ】
2021525552.tif 000020
【図９Ｂ】
2021525552.tif 000021
【図１０Ａ】
2021525552.tif 000022
【図１０Ｂ】
2021525552.tif 000023
【図１０Ｃ】
2021525552.tif 000024
【図１１】
2021525552.tif 000025
【図１２】
2021525552.tif 000026
【図１３】
2021525552.tif 000027
【図１４】
2021525552.tif 000028
【図１５Ａ】
2021525552.tif 000029
【図１５Ｂ】
2021525552.tif 000030
【図１６Ａ】
2021525552.tif 000031
【図１６Ｂ】
2021525552.tif 000032
【図１６Ｃ】
2021525552.tif 000033
【図１６Ｄ】
2021525552.tif 000034
【図１７Ａ】
2021525552.tif 000035
【図１７Ｂ】
2021525552.tif 000036
【図１７Ｃ】
2021525552.tif 000037
【図１７Ｄ】
2021525552.tif 000038
【図１７Ｅ】
2021525552.tif 000039
【図１８Ａ】
2021525552.tif 000040
【図１８Ｂ】
2021525552.tif 000041
【図１８Ｃ】
2021525552.tif 000042
【図１９Ａ】
2021525552.tif 000043
【図１９Ｂ】
2021525552.tif 000044
【図１９Ｃ】
2021525552.tif 000045
【図２０Ａ】
2021525552.tif 000046
【図２０Ｂ】
2021525552.tif 000047
【図２０Ｃ】
2021525552.tif 000048
【図２１】
2021525552.tif 000049
【図２２】
2021525552.tif 000050
【図２３】
2021525552.tif 000051
【図２４】
2021525552.tif 000052
【図２５】
2021525552.tif 000053
【図２６】
2021525552.tif 000054
【図２７】
2021525552.tif 000055
【図２８】
2021525552.tif 000056
【図２９】
2021525552.tif 000057
【図３０】
2021525552.tif 000058
【図３１】
2021525552.tif 000059
【図３２】
2021525552.tif 000060
【図３３】
2021525552.tif 000061
【図３４】
2021525552.tif 000062
【図３５】
2021525552.tif 000063
【図３６】
2021525552.tif 000064
【図３７】
2021525552.tif 000065
【図３８】
2021525552.tif 000066
【図３９】
2021525552.tif 000067
【図３９Ｂ】
2021525552.tif 000068
【図４０】
2021525552.tif 000069
【国際調査報告】
2021525552.tif 000070
2021525552.tif 000071